(57)【要約】      （修正有）【課題】型くずれを防止し、ディスプレー等に耐えうるボリューム感が得られ、衣服の滑り落ちが防止でき、構成が簡単で製造、組立が容易で,リサイクルに優れた紙製ハンガーを得る。【解決手段】ＪＩＳＰ８１１３に規定する引張破断伸びが縦方向および横方向共に１０％以上で坪量が５０ｇ／ｍ２〜４５０ｇ／ｍ２の伸張紙を基材とし、略四角形に形成したハンガー用パネル１の上側を肩掛け部形成部３とし下側を補強部形成部４として、肩掛け部形成部３の上縁部中央にフック穴５を形成し、補強部形成部４を下端側から上側に向かって巻回して筒状の補強部２５を形成し、肩掛け部形成部３は、その上辺中央の両側部９，１０を肩掛け部１１となるための所定の傾斜角をもってアーチ状に湾曲させ、湾曲面をもって肩掛け部１１とし、両側部９，１０の湾曲した先端部１２，１３を肩掛け部形成部３の中央部１６或いは補強部２５に、補強部２５を包むように固定した。【選択図】図２
2006217988.tif 000002
【特許請求の範囲】
【請求項１】
ＪＩＳ  Ｐ  ８１１３に規定する引張破断伸びが縦方向および横方向共に１０％以上で坪量が５０ｇ／ｍ２〜４５０ｇ／ｍ２の伸張紙を基材とし、略四角形に形成されたハンガー用パネルの上側が肩掛け部形成部となり下側が補強部形成部となっていて、前記肩掛け部形成部の上縁部中央にフック穴が形成されており、前記補強部形成部を下端側から上側に向かって巻回して筒状の補強部を形成し、前記肩掛け部形成部は、その上辺中央の両側部を肩掛け部となるための所定の傾斜角をもってアーチ状に湾曲させ、湾曲面をもって肩掛け部とし、両側部の湾曲した先端部を前記肩掛け部形成部の中央部或いは補強部に、補強部を包むように固定したことを特徴とする紙製ハンガー。
【請求項２】
前記肩掛け部形成部に形成される肩掛け部は、肩掛け部形成部の上辺中央から両側に向かって所定角度で傾斜するように設けられた２本の折れ線間で構成され、該肩掛け部の内側にある肩掛け部形成部の部位が中央部となり、肩掛け部の外側にある肩掛け部形成部の部位が折り返し固定部となっていることを特徴とする請求項１に記載の紙製ハンガー。
【請求項３】
前記肩掛け部形成部における肩掛け部、中央部及び折り返し固定部には、それぞれ曲げ応力を受ける方向にリブ用エンボスが設けられていることを特徴とする請求項１又は２に記載の紙製ハンガー。
【発明の詳細な説明】
【技術分野】
【０００１】
本発明は、軽量で取り扱いに便利な紙製ハンガーに関する。
【背景技術】
【０００２】
衣服のハンガーとして、樹脂製ハンガー、木製ハンガー、また簡易且つ安価なワイヤーハンガー等が多く使用されているが、これらは、一般に衣服を掛ける肩掛け部が人間の肩の厚さに比べ遙かに細くなっている。このため、衣服を掛けたときのボリューム感に乏しく、また、長時間衣服を掛けておくと、衣服にすじが付いたり、型くずれを生じさせることがある。また、ハンガーに掛けた衣服が滑り落ちてしまうといったことがある。
【０００３】
かかる事態を解消するものとして、例えば、ハンガーに掛けた衣服の型くずれを防止するものとして、凸状の曲面を有する中空な殻状に形成された長円形状のパッド本体を、固定手段を介してハンガーの肩掛け部の両側の端部に、該端部の上側から覆うように固定して使用するハンガー用肩パッドを備えたハンガーが知られている（例えば、特許文献１参照。）。また、ハンガーからの衣服の脱落を防止するものとして、ハンガーの肩掛け部上から被さる形状に形成された弾性不織布からなるハンガーカバーを備えたハンガーが知られている（例えば、特許文献２参照。）。
【特許文献１】実公平５−２７９０８号公報
【特許文献２】特開平５−２９３０２９号公報
【発明の開示】
【発明が解決しようとする課題】
【０００４】
上記ハンガーに被せて用いるハンガーカバーとしては、ハンガーに掛けた衣服の型くずれが防止できるようになっていることは当然の要求であるが、また、一般に、構成が簡単で取り扱いが容易であり且つ安価に得られるといったことが求められる。しかしながら、上記特許文献１に開示されているハンガー用肩パッドにあっては、その製造が面倒であり、かかるハンガー用肩パッドを備えたハンガーはその分のコストアップは避けられないといった問題があった。
【０００５】
また、上記特許文献２に開示されているハンガーカバーにあっては、ハンガーの肩掛け部上から被さる形状に形成された弾性不織布からなるため、ボリューム感に乏しく、例えば、かかるハンガーカバーがワイヤーハンガーのように極めて細い部材で構成されている場合、ハンガーに掛けた衣服の型くずれを防止できない場合がある、といった問題があった。
【０００６】
また、樹脂製ハンガー、木製ハンガー、ワイヤーハンガー等のハンガーは、そのリサイクルが難しく、その殆どが産業廃棄物として廃棄されているといった問題があった。
【０００７】
本発明の目的とするところは、型くずれが防止でき且つディスプレー等に耐えうるボリューム感が得られ、衣服の滑り落ちが防止でき、また、構成が簡単なので製造、組立が容易であり安価に得ることができ、またリサイクルに優れ、また、他の公知のハンガーのカバーとしても用いることのできる紙製ハンガーを提供することにある。
【課題を解決するための手段】
【０００８】
上記課題を解決するために、請求項１に記載の紙製ハンガーは、ＪＩＳ  Ｐ  ８１１３に規定する引張破断伸びが縦方向および横方向共に１０％以上で坪量が５０ｇ／ｍ２〜４５０ｇ／ｍ２の伸張紙を基材とし、略四角形に形成されたハンガー用パネルの上側が肩掛け部形成部となり下側が補強部形成部となっていて、前記肩掛け部形成部の上縁部中央にフック穴が形成されており、前記補強部形成部を下端側から上側に向かって巻回して筒状の補強部を形成し、前記肩掛け部形成部は、その上辺中央の両側部を肩掛け部となるための所定の傾斜角をもってアーチ状に湾曲させ、湾曲面をもって肩掛け部とし、両側部の湾曲した先端部を前記肩掛け部形成部の中央部或いは補強部に、補強部を包むように固定したことを特徴とする。
【０００９】
このように、前記補強部形成部を下端側から上側に向かって巻回して筒状の補強部を形成し、前記肩掛け部形成部は、その上辺中央の両側部を肩掛け部となるための所定の傾斜角をもってアーチ状に湾曲させ、両側部の湾曲した先端部を前記肩掛け部形成部の中央部或いは補強部に、補強部を包むように固定したので、衣服を掛けると、アーチ状に湾曲した肩掛け部形成部により形成される肩掛け部で衣服の型くずれが防止される。また、前記基材は伸張紙を用いているので、その材質的特性により衣服の滑りが止められ、衣服の滑り落ちが防止される。また、前記肩掛け部形成部の両側部の湾曲した先端部を、前記肩掛け部形成部の中央部或いは補強部に、前記補強部形成部を下端側から上側に向かって巻回して筒状とした補強部を包むように固定したので、アーチ状となった肩掛け部形成部の形を保ち且つ掛けられる衣服に対する十分な構造上の強度を有するものとなる。更に、前記ハンガー用パネルは、ＪＩＳ  Ｐ  ８１１３に規定する引張破断伸びが縦方向および横方向共に１０％以上の伸張紙を基材としているので、肩掛け部を形成する前記肩掛け部形成部の両側部及び下端側から上側に向かって巻回して筒状の補強部を形成する補強部形成部に押型成形を施すことにより、当該部分が、押型により押された曲げ度合いに応じて伸び、当該部分に曲癖を付けることができる。このように、肩掛け部形成部の両側部及び補強部を形成する補強部形成部に曲癖を付けることにより、曲がった状態を保つので、補強部形成部を巻回して筒状部の補強部を容易に形成することができる。また、伸張紙の坪量が５０ｇ／ｍ２〜４５０ｇ／ｍ２なので、アーチ状となった肩掛け部形成部の形を保ち且つ掛けられる衣服に対する十分な材質上の強度を有するものとなる。  
更には、前記肩掛け部形成部の上縁部中央に形成されたフック穴に、他の公知のハンガーのフックを備えた頂部を挿入した状態で、前記肩掛け部形成部の両側部を前記公知のハンガーの肩掛け部を跨ぐようにアーチ状に湾曲させ、それぞれの側部の湾曲した先端部を前記肩掛け部形成部の中央背部或いは補強部に固定することにより、公知のハンガーのカバーとしても用いることができる。  
更には、構成が簡単なので製造、組立が容易であり安価に得ることができ、また伸張紙をベースとしているのでリサイクルに優れる。
【００１０】
請求項２に記載の紙製ハンガーカバーは、請求項１に記載の紙製ハンガーの、前記肩掛け部形成部に形成される肩掛け部は、肩掛け部形成部の上辺中央から両側に向かって所定角度で傾斜するように設けられた２本の折れ線間で構成され、該肩掛け部の内側にある肩掛け部形成部の部位が中央部となり、肩掛け部の外側にある肩掛け部形成部の部位が折り返し固定部となっていることを特徴とする。
【００１１】
このように、前記肩掛け部形成部に形成される肩掛け部が、肩掛け部形成部の上辺中央から両側に向かって所定角度で傾斜するように設けられた２本の折れ線間で構成されるので、該２本の折れ線で折ることにより前記肩掛け部形成部を容易にアーチ状に湾曲させることができるとともに、曲がった状態を保つことができ、また、肩掛け部は２本の折れ線間で構成されるので、衣服を掛けたときのボリューム感に優れ、衣服の型くずれをより効果的に防止することができる。
【００１２】
請求項３に記載の紙製ハンガーは、請求項１又は２に記載の紙製ハンガーの、前記肩掛け部形成部における肩掛け部、中央部及び折り返し固定部には、それぞれ曲げ応力を受ける方向にリブ用エンボスが設けられていることを特徴とする。
【００１３】
このようにすると、肩掛け部形成部における肩掛け部、中背部及び折り返し固定部に設けられたリブ用エンボスが折り曲げ方向に対して一層十分な強度を与えるものとなり、アーチ状となった肩掛け部の形を保ち且つ重量のある衣類を掛けた場合でも耐えることができるものとなる。また、リブ用エンボスが衣服の滑りを止めるので、衣服の滑り落ちを一層確実に防止することができるものとなる。
【発明の効果】
【００１４】
本発明に係る紙製ハンガーは、ＪＩＳ  Ｐ  ８１１３に規定する引張破断伸びが縦方向および横方向共に１０％以上で坪量が５０ｇ／ｍ２〜４５０ｇ／ｍ２の伸張紙を基材とし、略四角形に形成されたハンガー用パネルの上側が肩掛け部形成部となり下側が補強部形成部となっていて、前記肩掛け部形成部の上縁部中央にフック穴が形成されており、前記補強部形成部を下端側から上側に向かって巻回して筒状の補強部を形成し、前記肩掛け部形成部は、その上辺中央の両側部を肩掛け部となるための所定の傾斜角をもってアーチ状に湾曲させ、湾曲面をもって肩掛け部とし、両側部の湾曲した先端部を前記肩掛け部形成部の中央部或いは補強部に固定したので、カバー部により型くずれを防止することができ且つディスプレー等に耐えうるボリューム感があり、衣服の滑り落ちを防止することができる紙製ハンガーを得ることができ、また、公知のハンガーのカバーとしても用いることができるので便利である。  
また、構成が簡単なので製造、組立が容易であり、安価に得ることができる。また、伸張紙をベースとしているので印刷が容易であり、印刷による多岐にわたるインフォメーションを付加することができる。また、ハンガー用パネルは伸張紙を基材としているのでリサイクルに優れる。
【発明を実施するための最良の形態】
【００１５】
以下、本発明に係る紙製ハンガーを実施するための最良の形態の一例について説明する。図１乃至図４は本発明に係るハンガーカバーの実施の形態の一例を示すもので、図１は紙製ハンガーの展開図、図２は本例の紙製ハンガーを組み立てる過程を示す説明図、図３は本例の紙製ハンガーを示す正面図、図４は本例の紙製ハンガーカバーを示す背面図である。
【００１６】
図面において、１は紙製ハンガー２を組み立てるハンガー用パネル１であり、ハンガー用パネル１は、ＪＩＳ  Ｐ  ８１１３に規定する引張破断伸びが縦方向および横方向共に１０％以上で坪量が５０ｇ／ｍ２〜４５０ｇ／ｍ２の伸張紙を基材としている。
【００１７】
前記伸張紙の例としては、クルパック処理、クレープ処理等によって高い伸び特性を付与した伸張紙が挙げられる。特に、特表平１１−５０９２７６号公報に開示されているような、硬い物質から成りその表面に周方向にリブを有し、もう一方より早い速度で回転する硬質ロールと、軟らかい物質から成り平滑な表面を有し、もう一方より遅い速度で回転する軟質ロールからなる一組のロール間で湿紙を収縮処理して得られる伸張紙、あるいは特開２００４−３０７１号公報に開示されているような、ロール周面に周方向に沿った溝をロール幅方向に所定の間隔をあけて設けた硬質ロールとロール周面が平坦な軟質ロールとからなる一対のプレスロールを備え、加圧下で前記硬質ロールの周速度に対して前記軟質ロールの周速度を遅く（好ましくは、硬質ロールの周速度１に対して軟質ロールの周速度を０．９５〜０．５）して回転するようにした収縮付与装置に、紙中水分が２０％〜５０％の紙シートを通紙して該紙シートに収縮を与え、その後に乾燥して得られる伸張紙を使用することが好ましい。
【００１８】
本発明で使用する伸張紙の坪量は、５０ｇ／ｍ２〜４５０ｇ／ｍ２の範囲が好ましい。坪量が５０ｇ／ｍ２未満では強度が不充分で、衣類の重量に耐えられない場合があり好ましくない。また、坪量が４５０ｇ／ｍ２を超えると加工が難しくなり、またコスト高となるので好ましくない。
【００１９】
本発明で使用する伸張紙は、伸び特性等に影響を与えない範囲で合成繊維を含有してもよいが、天然パルプ１００％から成ることが好ましい。天然パルプとしては、針葉樹または広葉樹の木材繊維、楮、三椏などの靭皮繊維、バガス、ケナフなどの非木材繊維、木綿繊維、古紙など通常の製紙原料を使用することができるが、汎用性などから木材繊維の化学パルプ、機械パルプ、脱墨パルプ等を使用するのが好ましい。
【００２０】
前記ハンガー用パネル１は、図１に示す展開形状を有しており、略四角形に形成され、その上側が肩掛け部形成部３となり下側が補強部形成部４となっている。
【００２１】
本例では、肩掛け部形成部３は図面上、補強部形成部４よりも横幅が若干広幅に形成されている。肩掛け部形成部３の上縁部中央には、フック穴５が形成されている。本例では、肩掛け部形成部３の上縁部中央に突出部６が延設されており、この突出部６にもフック穴５ａが形成されており、突出部６を折れ線７から折り返してフック穴５とフック穴５ａを重ねるようになっている。前記突出部６の先端には係止片８が形成されており、突出部６を折れ線７から折返し係止片８を後述する中央部に設けた切り込みに挿入して係止させるようになっている。
【００２２】
また、前記肩掛け部形成部３は、肩掛け部形成部３の上辺中央、即ち前記フック穴５の両側部９，１０を肩掛け部１１となるための所定の傾斜角をもってアーチ状に湾曲させ、湾曲面をもって肩掛け部１１とし、両側部９，１０の湾曲した先端部１２，１３を前記肩掛け部形成部３の後述する中央部或いは補強部形成部４により形成される補強部に、該補強部を包むように固定するようになっている。
【００２３】
本例では、肩掛け部形成部３に、アーチ状に湾曲させ湾曲面をもって肩掛け部１１を形成する両側部９，１０に、肩掛け部形成部３の上辺中央から両側に向かって所定角度で傾斜するように設けられた２本の折れ線１４，１５を設け、折れ線１４，１５の間をもって肩掛け部１１としている。折れ線１４，１５の間隔は、肩掛け部１１の求めるボリュームにより設定される。そして、２本の折れ線１４，１５間で構成された肩掛け部１１の内側にある肩掛け部形成部３の部位を中央部１６とし、肩掛け部１１の外側にある肩掛け部形成部３の部位、即ち両側部９，１０の部位を折り返し固定部１７，１８としている。
【００２４】
前記肩掛け部形成部３の両側部の先端部１２，１３、即ち、折り返し固定部１７，１８の先端部１２，１３を肩掛け部形成部３の中央部１６或いは補強部に固定する手段にあては、特に限定されるものではないが、本例では折り返し固定部１７，１８の先端部１２，１３に係止片１９，２０を形成し、そして、肩掛け部形成部３の中央部１６にはスリット２１，２２を形成し、このスリット２１，２２に、アーチ状に湾曲した両側部９，１０の先端部１２，１３、即ち、折り返し固定部１７，１８の先端部１２，１３に形成した係止片１９，２０を挿入して係止させて、両側部９，１０の先端部１２，１３を前記肩掛け部形成部３の中央部１６に固定するようになっている。
【００２５】
また、前記肩掛け部形成部３の中央部１６には、前述した突出部６の先端に形成した係止片８を挿入するスリット２３が形成されている。
【００２６】
また、本例では、前記肩掛け部形成部３における肩掛け部１１、中央部１６及び折り返し固定部１７，１８に、それぞれ曲げ応力を受ける方向にリブ用エンボス２４が設けられている。前記リブ用エンボス２４にあっては、曲げ応力を受ける方向に長い、長方形或いは楕円形となっている。
【００２７】
また、前記補強部形成部４は、下端側から上側に向かって巻回して筒状の補強部２５を形成するようになっている。
【００２８】
また、本例では、肩掛け部形成部３の両側部９，１０及び補強部２５を形成する補強部形成部４に押型で必要な曲癖を付けている。この曲癖にあっては、前記肩掛け部形成部３及び補強部形成部４を組み立てるハンガー用パネル１が、ＪＩＳ  Ｐ  ８１１３に規定する引張破断伸びが縦方向および横方向共に１０％以上の伸張紙を基材としているので、押型により押される部分が、押型により押された曲げ度合いに応じて伸び、当該部分に容易に曲癖を付けることができる。
【００２９】
上記の展開形状を有する本例の紙製ハンガー２は、次のようにして組み立てられる。  
まず、補強部形成部４を下端側から上側に向かって巻回して筒状の補強部２５を形成する。
【００３０】
次に、肩掛け部形成部３の上辺中央の両側部９，１０を、折れ線１４，１５から折り曲げるようにしてアーチ状に湾曲させ（図２参照）、更に、湾曲させた両側部９，１０の先端部１２，１３を前記肩掛け部形成部３の中央部１６に固定する（図３，４参照）。
【００３１】
本例では、前記肩掛け部形成部３の両側部９，１０の先端部１２，１３を肩掛け部形成部３の中央部１６に固定する手段として、両側部９，１０の先端部１２，１３、即ち、折り返し固定部１７，１８の先端部１２，１３に形成した係止片１９，２０を肩掛け部形成部３の中央部１６に形成したスリット２１，２２に挿入して係止させて、両側部９，１０の先端部１２，１３を肩掛け部形成部３の中央部１６に固定するようになっている。
【００３２】
このようにすることにより、ボリューム感のあるアーチ状となった肩掛け部１１を形成することができ、衣服を掛けると、前記肩掛け部１１により衣服の型くずれが防止される。また、前記基材は伸張紙を用いているので、その材質的特性により衣服の滑りが止められ、衣服の脱落が防止される。また、前記肩掛け部形成部３の両側部９，１０の湾曲した先端部１２，１３を、前記補強部形成部４を下端側から上側に向かって巻回して筒状とした補強部２５を包むように肩掛け部形成部３の部位を中央部１６に固定したので、アーチ状となった肩掛け部形成部３の形を保ち且つ掛けられる衣服に対する十分な構造上の強度を有するものとなる。
【００３３】
また、本例では、前記肩掛け部形成部３における肩掛け部１１、中央部１６及び折り返し固定部１７，１８には、それぞれ曲げ応力を受ける方向にリブ用エンボス２４が設けられているので、リブ用エンボス２４が折り曲げ方向に対する一層十分な強度を与えるものとなり、アーチ状となった肩掛け部１１の形を保ち且つ重量のある衣類を掛けた場合でも耐えることができるものとなる。
【００３４】
図５は、本発明に係る紙製ハンガー２を、他の公知の、例えば、樹脂製ハンガー、木製ハンガー、また簡易且つ安価なワイヤーハンガー等の公知のハンガー２６のカバーとして使用した例を示す斜視図である。
【００３５】
紙製ハンガー２を公知のハンガー２６のカバーとして使用する場合は、突出部６を折り、フック穴５，５ａに公知のハンガー２６のフックを備えた頂部２７を挿入し、そして、補強部形成部４を下端側から上側に向かって巻回して筒状の補強部２５を形成する。肩掛け部形成部３の上辺中央の両側部９，１０を、前記公知のハンガー２６の肩掛け部２８を跨ぐようにアーチ状に湾曲させ、湾曲させた両側部９，１０で前記補強部２５を包むようにして、両側部９，１０の先端部１２，１３を前記肩掛け部形成部３の中央部１６に固定して、公知のハンガー２６に取り付ける。
【００３６】
このようにすることにより、フック穴５，５ａに挿入された公知のハンガー２６のフックを備えた頂部２７を持ち上げると、前記アーチ状となった両側部９，１０が公知のハンガー２６の肩掛け部２８に支持され、肩掛け部２８の上に両側部９，１０によるボリューム感のある肩掛け部１１が形成される。そして、この上から衣服を掛けると、公知のハンガー２６の肩掛け部２８を覆っているアーチ状となった両側部９，１０により形成されるボリューム感のある肩掛け部１１により衣服の型くずれが防止される。また、その材質的特性により衣服の滑りが止められ、衣服の脱落が防止される。
【図面の簡単な説明】
【００３７】
【図１】本発明に係る紙製ハンガーの実施の形態の一例を示す展開図。
【図２】本例の紙製ハンガーを組み立てる過程を示す説明図。
【図３】本例の紙製ハンガーを示す正面図。
【図４】本例の紙製ハンガーカバーを示す背面図。
【図５】本発明に係る紙製ハンガーを、他の公知のハンガーのカバーとして使用した例を示す斜視図
【符号の説明】
【００３８】
１  ハンガー用パネル
２  紙製ハンガー
３  肩掛け部形成部
４  補強部形成部
５，５ａ  フック穴
６  突出部
７  折れ線
８  係止片
９，１０  側部
１１  肩掛け部
１２，１３  先端部
１４，１５  折れ線
１６  中央部
１７，１８  折り返し固定部
１９，２０  係止片
２１，２２，２３  スリット
２４  リブ用エンボス
２５  補強部
２６  公知のハンガー
２７  フックを備えた頂部
２８  肩掛け部
【図１】
2006217988.tif 000003
【図２】
2006217988.tif 000004
【図３】
2006217988.tif 000005
【図４】
2006217988.tif 000006
【図５】
2006217988.tif 000007